(57)【要約】  【課題】  ロール紙の交換が容易であるとともに、ロール紙の引出しが容易である切断装置付ペーパーホルダーを提供することを課題とする。  【解決手段】  切断装置付ペーパーホルダー１０は、主としてロール紙を保持する保持器１１と、ロール紙を切断する切断器１４１を有する第一横架材１４と、ロール紙先端部を切断器１４１へ誘導させる第二横架材１３と、で構成され、第一横架材１４には、切断器１４１を前面板１１２の上方にロール紙の回転軸に対してほぼ平行となるように配置する支柱部１４２が備えられ、第二横架材１３には、背面板１１１の上方に跳出し部１３１が切断器１４１に対してほぼ平行となるように配置される支柱部１３２が備えられ、ロール紙先端部が跳出し部１３１と、切断器１４１とを覆う状態にして切断刃１４１ａにより切断され、切断により残ったロール紙が切断器１４１と跳出し部１３１とを覆う状態で保持される。【選択図】  図１
2005087411.tif 000002
【特許請求の範囲】
【請求項１】
ロール紙を回転可能に保持する保持器と、前記ロール紙を切断する切断刃を有する第一横架材と、前記切断刃にロール紙先端部を誘導する第二横架材とによって構成される切断装置付ペーパーホルダーにおいて、
前記保持器には、互いに対向する一対の壁面板が備えられ、
前記第一横架材には、前記保持器を構成する一方の壁面板の上方に当該第一横架材を前記ロール紙の回転軸に対してほぼ平行に配置する第一支柱部が備えられ、
前記第二横架材には、当該第二横架材を一方の壁面板に対するもう一方の壁面板の上方に前記第一横架材に対してほぼ平行に配置する第二支柱部が備えられ、
ロール紙先端部が第一横架材と第二横架材とを覆うようにして引出されて前記切断刃により切断され、切断により残ったロール紙が前記第一横架材と前記第二横架材とを覆う状態で保持される、
ことを特徴とする切断装置付ペーパーホルダー。
【請求項２】
請求項１に記載の切断装置付ペーパーホルダーにおいて、
前記保持器には、前記一対の壁面板を上方に向かうに従って間隔が広くなるように、間隔が広い方に配置される第一繋材と、間隔が狭い方に配置される第二繋材とが備えられ、
保持器の上面と、側面の少なくとも一方とが開放されている、
ことを特徴とする切断装置付ペーパーホルダー。
【請求項３】
請求項２に記載の切断装置付ペーパーホルダーにおいて、
前記壁面板の少なくとも一方の内壁面に滑り止め機構を備えた、
ことを特徴とする切断装置付ペーパーホルダー。
【請求項４】
請求項２に記載の切断装置付ペーパーホルダーにおいて、
前記保持器の底部が開放されている、
ことを特徴とする切断装置付ペーパーホルダー。
【請求項５】
請求項１に記載の切断装置付ペーパーホルダーにおいて、
前記第一横架材は、そのほぼ中央または両端に前記保持器に固着される第一支柱部とにより略Ｔ字状または略コ字状を有している、
ことを特徴とする切断装置付ペーパーホルダー。
【請求項６】
請求項１に記載の切断装置付ペーパーホルダーにおいて、
前記第二横架材は、その一方端または両端に前記保持器に固着される第二支柱部とにより略Ｌ字状または略コ字状を有している、
ことを特徴とする切断装置付ペーパーホルダー。
【請求項７】
請求項１記載の切断装置付ペーパーホルダーにおいて、
前記第二横架材の両端に、ロール紙の先端部を前記切断刃へ誘導する誘導器を有している、
ことを特徴とする切断装置付ペーパーホルダー。
【請求項８】
請求項１に記載の切断装置付ペーパーホルダーにおいて、
前記切断刃は、前記第一横架材に併設される１以上の切断刃を備えている、
ことを特徴とする切断装置付ペーパーホルダー。
【請求項９】
請求項１に記載の切断装置付ペーパーホルダーにおいて、
前記切断刃は、刃の形状が波形形状を有する、
ことを特徴とする切断装置付ペーパーホルダー。
【発明の詳細な説明】
【技術分野】
【０００１】
本発明は、切断装置付ペーパーホルダーに関し、特にロール紙を保持する切断装置付ペーパーホルダーに関するものである。
【背景技術】
【０００２】
従来、様々な切断装置付ペーパーホルダーが発明されている（例えば、特許文献１参照。）。
【０００３】
図３は、特許文献１に記載された従来の切断装置付ペーパーホルダー３０の斜視図を示す。図において、従来の切断装置付ペーパーホルダー３０は、ロール紙を回転自在に保持する保持部３１１ａを有するふたつの側面板３１１と、背面板３１２とによって略コ字状に形成されたホルダー３１と、ホルダー３１の上面を覆い、その基端部が側面板３１１に回転自在に支持される上蓋３２と、上蓋３２の下面部と当接し、ホルダー３１の前面部の幅方向に配設される固定台３３ａと、該固定台３３ａと上蓋３２との当接部の前方に配設されたロール紙を切断する切断刃３３ｂとを有する切断器３３と、切断器３３とほぼ平行にして背面板３１２手前に設けられたガイドローラー３４とによって構成され、ロール紙の先端部がガイドローラー３４と固定台３３ａとを覆う状態で保持され、ホルダー３１の両側面板３１１の上面に開口する大きな切り欠部３５と上蓋３２との間から手を差し入れて、該ロール紙の側方部を摘まんで該ロール紙が前方へ引出される。その引出されたロール紙を上蓋３２の重量により固定台３３ａとで挟持して真上から真下方向へ引っ張ることでロール紙を切断できるようにした切断装置付ペーパーホルダーである。
【特許文献１】特許第３２１８４６４号公報（第１−５頁、第１図）
【発明の開示】
【発明が解決しようとする課題】
【０００４】
しかしながら、上述のように構成された従来の切断装置付ペーパーホルダー３０は、前記ペーパーガイドローラー３４が両側面板３１１と背面板３１２とに囲まれているので、ロール紙交換の際に、ペーパーガイドローラー３４と背面板３１２との隙間にロール紙先端部の差し入れることが困難であった。
【０００５】
また、ロール紙の先端部をホルダーの両側方部と上蓋との間に手を差し入れてロール紙の先端部を引出す必要があるため、細かな動作が要求され、使い方がわかりにくく、紙を引出す操作が複雑化してしまうという問題があった。
【０００６】
本発明は以上のような問題を鑑みてなされたものであり、ロール紙の交換が容易であるとともに、ロール紙の引出しが容易である切断装置付ペーパーホルダーを提供することを課題とする。
【課題を解決するための手段】
【０００７】
前記課題を解決するために、本発明の請求項１に記載の切断装置付ペーパーホルダーは、ロール紙を回転可能に保持する保持器と、前記ロール紙を切断する切断刃を有する第一横架材と、前記切断刃にロール紙先端部を誘導する第二横架材とによって構成される切断装置付ペーパーホルダーにおいて、前記保持器には、互いに対向する一対の壁面板が備えられ、前記第一横架材には、前記保持器を構成する一方の壁面板の上方に当該第一横架材を前記ロール紙の回転軸に対してほぼ平行に配置する第一支柱部が備えられ、前記第二横架材には、当該第二横架材を一方の壁面板に対するもう一方の壁面板の上方に前記第一横架材に対してほぼ平行に配置する第二支柱部が備えられ、ロール紙先端部が第一横架材と第二横架材とを覆うようにして引出されて前記切断刃により切断され、切断により残ったロール紙が前記第一横架材と前記第二横架材とを覆う状態で保持されることを特徴とするものである。
【０００８】
また、本発明の請求項２に記載の切断装置付ペーパーホルダーは、請求項１に記載の切断装置付ペーパーホルダーにおいて、前記保持器には、前記一対の壁面板を上方に向かうに従って間隔が広くなるように、間隔が広い方に配置される第一繋材と、間隔が狭い方に配置される第二繋材とが備えられ、保持器の上面と、側面の少なくとも一方とが開放されていることを特徴とするものである。
【０００９】
また、本発明の請求項３に記載の切断装置付ペーパーホルダーは、請求項２に記載の切断装置付ペーパーホルダーにおいて、前記壁面板の少なくとも一方の内壁面に滑り止め機構を備えたことを特徴とするものである。
【００１０】
また、本発明の請求項４に記載の切断装置付ペーパーホルダーは、請求項２に記載の切断装置付ペーパーホルダーにおいて、前記保持器の底部が開放されていることを特徴とするものである。
【００１１】
また、本発明の請求項５に記載の切断装置付ペーパーホルダーは、請求項１に記載の切断装置付ペーパーホルダーにおいて、前記第一横架材は、そのほぼ中央または両端に前記保持器に固着される第一支柱部とにより略Ｔ字状または略コ字状を有していることを特徴とするものである。
【００１２】
また、本発明の請求項６に記載の切断装置付ペーパーホルダーは、請求項１に記載の切断装置付ペーパーホルダーにおいて、前記第二横架材は、その一方端または両端に前記保持器に固着される第二支柱部とにより略Ｌ字状または略コ字状を有していることを特徴とするものである。
【００１３】
また、本発明の請求項７に記載の切断装置付ペーパーホルダーは、請求項１記載の切断装置付ペーパーホルダーにおいて、前記第二横架材の両端に、ロール紙の先端部を前記切断刃へ誘導する誘導器を有していることを特徴とするものである。
【００１４】
また、本発明の請求項８に記載の切断装置付ペーパーホルダーは、請求項１に記載の切断装置付ペーパーホルダーにおいて、前記切断刃は、前記第一横架材に併設される１以上の切断刃を備えていることを特徴とするものである。
【００１５】
また、本発明の請求項９に記載の切断装置付ペーパーホルダーは、請求項１に記載の切断装置付ペーパーホルダーにおいて、前記切断刃は、刃の形状が波形形状を有することを特徴とするものである。
【発明の効果】
【００１６】
本発明の請求項１に記載の切断装置付ペーパーホルダーでは、ロール紙を回転可能に保持する保持器と、前記ロール紙を切断する切断刃を有する第一横架材と、前記切断刃にロール紙先端部を誘導する第二横架材とによって構成される切断装置付ペーパーホルダーにおいて、前記保持器には、互いに対向する一対の壁面板が備えられ、前記第一横架材には、前記保持器を構成する一方の壁面板の上方に当該第一横架材を前記ロール紙の回転軸に対してほぼ平行に配置する第一支柱部が備えられ、前記第二横架材には、当該第二横架材を一方の壁面板に対するもう一方の壁面板の上方に前記第一横架材に対してほぼ平行に配置する第二支柱部が備えられ、ロール紙先端部が第一横架材と第二横架材とを覆うようにして引出されて前記切断刃により切断され、切断により残ったロール紙が前記第一横架材と前記第二横架材とを覆う状態で保持されるので、ロール紙の交換が容易であるとともに、ロール紙を片手で容易に引出せる切断装置付ペーパーホルダーを提供できる効果がある。
【００１７】
また、請求項２に記載の切断装置付ペーパーホルダーでは、請求項１に記載の切断装置付ペーパーホルダーにおいて、前記保持器には、前記一対の壁面板を上方に向かうに従って間隔が広くなるように、間隔が広い方に配置される第一繋材と、間隔が狭い方に配置される第二繋材とが備えられ、保持器の上面と、側面の少なくとも一方とが開放されているので、ロール紙の交換が容易であるとともに、ロール紙を片手で容易に引出せる切断装置付ペーパーホルダーを提供できる効果がある。
【００１８】
また、請求項３に記載の切断装置付ペーパーホルダーでは、請求項２に記載の切断装置付ペーパーホルダーにおいて、前記壁面板の少なくとも一方の内壁面に滑り止め機構を備えたので、使用に伴って外径が小さくなったロール紙の浮き上がりを防止できる切断装置付ペーパーホルダーが提供できる効果がある。
【００１９】
また、請求項４に記載の切断装置付ペーパーホルダーでは、請求項２に記載の切断装置付ペーパーホルダーにおいて、前記保持器の底部が開放されているので、ロール紙の回転に伴う削り屑や埃などが保持器内に溜まらず、維持管理を容易に行なうことが可能な切断装置付ペーパーホルダーを提供できる効果がある。
【００２０】
また、請求項５に記載の切断装置付ペーパーホルダーでは、請求項１に記載の切断装置付ペーパーホルダーにおいて、前記第一横架材は、そのほぼ中央または両端に前記保持器に固着される第一支柱部とにより略Ｔ字状または略コ字状を有しているので、ロール紙を切断刃近傍において摘む際の障害を無くして、ロール紙を容易に引出すことができる切断装置付ペーパーホルダーを提供できる効果がある。
【００２１】
また、請求項６に記載の切断装置付ペーパーホルダーでは、請求項１に記載の切断装置付ペーパーホルダーにおいて、前記第二横架材はその一方端または両端に前記保持器に固着される第二支柱部とにより略Ｌ字状または略コ字状を有しているので、ロール紙を第一横架材に導く際の障害を無くして、ロール紙交換の容易な切断装置付ペーパーホルダーを提供できる効果がある。
【００２２】
また、請求項７に記載の切断装置付ペーパーホルダーでは、請求項１記載の切断装置付ペーパーホルダーにおいて、前記第二横架材の両端に、ロール紙の先端部を前記切断刃へ誘導する誘導器を有しているので、第二横架材に回り込ませたロール紙先端部を第一横架部に取付けられた切断刃へ容易に誘導でき、安定したロール紙の引出しが可能な切断装置付ペーパーホルダーを提供できる効果がある。
【００２３】
また、請求項８に記載の切断装置付ペーパーホルダーでは、請求項１に記載の切断装置付ペーパーホルダーにおいて、前記切断刃は前記第一横架材に併設される１以上の切断刃を備えているので、ロール紙の堅さや柔らかさに応じてロール紙の切れ味を向上させる効果がある。
【００２４】
また、請求項９に記載の切断装置付ペーパーホルダーでは、請求項１に記載の切断装置付ペーパーホルダーにおいて、前記切断刃は刃の形状が波形形状を有するので、ロール紙先端部が第一横架材と第二横架材とを覆うよう保持される状態の、安定性を高めることができる切断装置付ペーパーホルダーを提供できる効果がある。
【発明を実施するための最良の形態】
【００２５】
（実施の形態１）
以下、本発明の実施の形態１について、図１を参照しながら説明する。
図１は、本実施の形態１における切断装置付ペーパーホルダーの概要を示す斜視図であり、図において、切断装置付ペーパーホルダー１０は、保持器１１と、保持板１２と、第二横架材１３と、第一横架材１４とによって構成されている。
【００２６】
保持器１１はロール紙が保持され、背面板１１１と、前面板１１２と、ふたつの第一繋材１１３と、ふたつの第二繋材１１４とを有し、第一繋材１１３は背面板１１１及び前面板１１２の両側面上部間に架設され、第二繋材１１４は第一繋材に対する下方に背面板１１１及び前面板１１２の両側面間に架設されることにより、背面板１１１と前面板１１２は上方に向かうに従って間隔が広くなる略ハの字状に成形されている。
【００２７】
また、背面板１１１の内壁面には、背面板の中央よりやや下側に、保持されるロール紙と同軸方向に、ロール紙の表面部と背面板内壁面との摩擦力を大きくする帯状のローレット加工部１１１ａを備えている。このローレット加工部１１１ａは、滑り止めのための機構として、背面板１１１の内壁面のロール紙が接する部分に設けられる。
【００２８】
保持板１２は、当該保持板１２と背面板１１１とによって略く字状に成形加工され、切断装置付ペーパーホルダー１０をネジや釘等で壁面等に保持させる保持機構を有している。
【００２９】
第一横架材１４には、切断器１４１と、切断器１４１を前面板１１２の上方にロール紙の回転軸と平行に配置する支柱部１４２とが備えられ、切断器１４１と支柱部１４２とによって略Ｔ字状に成形加工されている。
【００３０】
支柱部１４２は、切断器１４１を支持する支柱である。支柱部１４２の柱脚部は前面板１１２の前面上部に固着されている。
【００３１】
切断器１４１は、切断器１４１の両端部を自由端とし、そのほぼ中央に切断器１４１を支持する支柱部１４２の柱頭部が固着された桁材である。切断器１４１には、切断器１４１を挟んでロール紙を切断するプラスチック製の切断刃１４１ａが並設されている。この切断刃１４１ａとしては、切断後に残されるロール紙の先端が切断刃上にとどまりやすい形状、例えば三角波やパルス波のような波形形状を有するものであることが好ましい。この切断刃１４１ａは、切断器１４１と一体化するようにしてもよい。
【００３２】
第二横架材１３には、跳出し部１３１と、跳出し部１３１を背面板１１１の上方に切断器１４１とほぼ平行に配置する支柱部１３２とが備えられ、跳出し部１３１と支柱部１３２とによって略Ｌ字状に成形加工されている。
【００３３】
支柱部１３２は、跳出し部１３１を支持する支柱である。支柱部１３２の柱脚部は背面板１１１の側面上部に固着されている。
【００３４】
跳出し部１３１は、跳出し部１３１の一方端が支柱部１３２の柱頭部に固着され、跳出し部１３１のもう一方端が自由端とされた片持ち梁である。跳出し部１３１の先端部と元端部には、ロール紙を引出す際に第一横架材１４に誘導させる円盤状の誘導器１３１ａが備えられている。
【００３５】
以上のように構成された本実施の形態１における切断装置付ペーパーホルダー１０は、次に述べるように用いられる。
【００３６】
先ず、ロール紙を保持器１１の上方から保持器１１に入れ、ロール紙の先端部を摘んで前方へ引いたのち、そのロール紙の先端部を跳出し部１３１の自由端方向へ引き、ロール紙を切断装置付ペーパーホルダー１０の側方から跳出し部１３１と保持板１２との間に回り込ませ、前方に引くことによりロール紙の先端部が第一横架材の跳出し部１３１と第二横架材の切断器１４１とを覆う保持状態とされる。
【００３７】
次に、ロール紙の使用時は、ロール紙先端部もしくは跳出し部１３１と切断器１４１とを覆う側方部を摘んで少し前方へ引いてロール紙を引出したのち、下方に引張り下げることによって切断刃１４１ａによりロール紙が切断され、切断刃１４１ａによる切断により残ったロール紙は跳出し部１３１及び切断器１４１を覆う保持状態で保持される。
【００３８】
ロール紙の取替え時は、ロール紙の芯を第一繋材１１３と第二繋材１１４との間からロール紙の回転軸方向に引出す。
【００３９】
以上のように、本発明の実施の形態１による切断装置付ペーパーホルダー１０は、主として保持器１１と、第一横架材１４と、第二横架材１３とによって構成され、保持器１１には、互いに対向する背面板１１１と、前面板１１２とが備えられ、第一横架材１４には、切断刃１４１ａを備えた切断器１４１を前面板１１２の上方にロール紙の回転軸に対してほぼ平行に配置する支柱部１４２が備えられ、第二横架材１３には、跳出し部１３１を背面板１１１の上方に切断器１４１に対してほぼ平行に配置する支柱部１３２が備えられ、ロール紙先端部が切断器１４１と跳出し部１３１とを覆うようにして引出されて切断刃１４１ａにより切断され、切断により残ったロール紙が切断刃１４１ａと跳出し部１３１とを覆う状態で保持されるので、保持状態において跳出し部１３１と切断器１４１とがロール紙先端部によって覆われるとともに、この部分のロール紙先端部の表面全体が上蓋などに覆われることなく露出していることとなりロール紙の使用時においては跳出し部１３１と切断器１４１とを覆っているロール紙を容易に摘むことができるとともに、片手で容易にロール紙を引出し、切り取ることができる切断装置付ペーパーホルダーを提供できるという効果を奏する。
【００４０】
また、保持器１１には、背面板１１１と、前面板１１２とが上方に向かうに従って間隔が広くなるように、間隔が広い方に配置される第一繋材１１３と、間隔が狭い方に配置される第二繋材１１４とが備えられたので、保持器１１の上方部及び側方部が開放されて使い切ったロール紙の芯を片手で側方部から取り出すことが可能となる。
【００４１】
さらに、保持器１１は、ロール紙が背面板１１１および前面板１１２の傾斜した内壁面に保持されるため、ロール紙が小さくなっても、常に内壁面に接する状態で保持することとなり、従来例において示したようなロール芯に通した突起でロール紙を支えるペーパーホルダーのように、ロール紙が軽くなった場合に、突起のまわりで回転方向以外の上下方向や左右方向等に不安定に動き回ることがなく、ロール紙を安定して引出すことが可能となる。
【００４２】
また、背面板１１１の内壁面の中央よりやや下側に、保持されるロール紙と同軸方向に帯状のローレット加工部１１１ａを有しているので、外径が小さくなり重さが軽くなったロール紙の使用時に背面板１１１とロール紙の摩擦力を大きくすることが可能となり、外径が小さくなり重さが軽くなったロール紙を引出す際に保持器１１内で起こるロール紙の浮き上がり等の不要な動きを抑え、ロール紙を安定して引出すことができる。
【００４３】
また、保持器１１の底部が開放されているので、ロール紙の回転に伴う削り屑や埃などが保持器１１内に溜まらず、切断器付きペーパーホルダーの維持管理を容易に行なうことが可能となる。
【００４４】
また、第二横架材１３は、跳出し部１３１の一方端に保持器１１に固着される支柱部１３２とにより略Ｌ字状を有しているので、跳出し部１３１及び切断刃１４１ａを取付けた切断器１４１のロール紙先端部により覆われる部分と、切断器１４１の自由端となっている部分とが他の部材により覆われていない露出した状態となっていることとなり、ロール紙先端部を跳出し部１３１と保持板１２間の隙間に回り込ませる作業や、ロール紙を切断刃１４１ａが取付けられた切断器１４１を覆うよう引出す作業の際に障害となるものをなくすことができる。この結果、片手でロール紙先端部を摘んで跳出し部１３１の自由端方向に引出した後、ロール紙の先端部を跳出し部１３１と保持板１２間に回り込ませることが可能となる。
【００４５】
また、跳出し部１３１の両端に誘導器１３１ａを有しているので、跳出し部１３１と保持板１２間に回り込ませたロール紙の先端部を第二横架材へ誘導することが可能となる。
【００４６】
また、切断器１４１の前面および背面に、切断器１４１を挟んで切断刃１４１ａを並設しているので、ロール紙の堅さや厚さに応じてロール紙の切れ味を向上させることが可能となる。
【００４７】
なお、本実施の形態１では、第二横架材の切断器１４１の前面および背面に、切断刃１４１ａを並設したが、本発明においては、切断器１４１の前面もしくは背面にのみ切断刃１４１ａを並設、または、切断器１４１の上面に載設するようにしてもよい。
【００４８】
また、切断刃１４１ａ材質をプラスチック製としたが、本発明においては、紙製、金属製の切断刃を用いるようにしても良い。
【００４９】
また、背面板１１１の内壁面に帯状のローレット加工部１１１ａを備えたが、本発明においては、保持器１１に保持されるロール紙と保持器の背面板内壁面間に滑り止めに必要な摩擦が発生すればどのような滑り止め機構を設けるようにしても良い。
【００５０】
また、誘導器１３１ａは円盤状としたが、本発明においては、ロール紙先端部を切断器１４１に誘導できればどのような形状の誘導器を設けてもよい。
【００５１】
（実施の形態２）
以下、本発明の実施の形態２について、図２を参照しながら説明する。
図２は、本実施の形態２における切断装置付ペーパーホルダー２０の概要を示す斜視図である。図において、図１に示した実施の形態１と同様の、または相当する構成要素については、同じ符号を付して、その詳細な説明を省略する。
【００５２】
本発明の実施の形態２における切断装置付ペーパーホルダー２０は、保持器１１と、保持板１２と、第二横架材２３と、第一横架材２４とによって構成されている。
【００５３】
第一横架材２４には、横架部２４１と、横架部２４１を前面板１１２の上方にロール紙の回転軸とほぼ平行に配置するふたつの支柱部２４２とが備えられ、横架部２４１と支柱部２４２とによって略コ字状に成形加工されている。
【００５４】
支柱部２４２は、横架部２４１を支持する支柱である。支柱部２４２の柱脚部はそれぞれ前面板１１２の内壁面上部に固着されている。
【００５５】
横架部２４１は、その前面にロール紙を切断する切断刃２４１ａが並設された桁材である。切断刃２４１ａは、上述の実施の形態１の切断刃１４１ａと同等のものである。
【００５６】
第二横架材２３には、横架部２３１と、横架部２３１を背面板１１１の上方に横架部２４１とほぼ平行に配置するふたつの支柱部２３２とが備えられ、横架部２３１と支柱部２３２とによって略コ字状に成形加工されている。
【００５７】
支柱部２３２は、横架部２３１を支持する支柱であり。支柱部２３２の柱脚部はそれぞれ背面板１１１の内壁面上部に固着されている。
【００５８】
横架部２３１は、その両端部が支柱部２３２の各柱頭部にそれぞれ架設された梁材である。横架部２３１の両端部には誘導器２３１ａを有している。誘導器２３１ａは上述の実施の形態１の誘導器１３１ａと同等のものである。
【００５９】
以上のように構成された本実施の形態２における切断装置付ペーパーホルダー２０は、次に述べるように用いられる。
【００６０】
先ず、ロール紙を保持器１１の上方から保持器１１に入れ、ロール紙の先端部を摘んで保持板１２方向へ弛ませ、弛んだロール紙の側方部を摘んで上方へ引揚げ、ロール紙先端部を保持板１２と横架部２３１間を潜らせて前方に引くことによりロール紙先端部が横架部２３１と横架部２４１とを覆う保持状態とされる。
【００６１】
次に、ロール紙の使用時は、ロール紙の先端部もしくは横架部２３１と横架部２４１とを覆うロール紙の側方部を摘んで少し前方へ引いたのち、下方に引張り下げることによって切断刃２４１ａによりロール紙が切断され、切断刃２４１ａによる切断により残ったロール紙先端部は横架部２３１と横架部２４１を覆う保持状態で保持される。
【００６２】
ロール紙の取替え時は、ロール紙の芯を第一繋材１１３と第二繋材１１４との間からロール紙の回転軸方向に引出す。
【００６３】
以上のように、本発明の実施の形態２による切断装置付ペーパーホルダー２０は、主として保持器１１と、第一横架材２４と、第二横架材２３とによって構成され、保持器１１には、互いに対向する背面板１１１と、前面板１１２とが備えられ、第一横架材２４には、切断刃２４１ａを備えた横架部２４１を前面板１１２の上方にロール紙の回転軸に対してほぼ平行に配置するふたつの支柱部２４２が備えられ、第二横架材２３には、横架部２３１を背面板１１１の上方に横架部２４１に対してほぼ平行に配置する支柱部２３２が備えられ、ロール紙先端部が切断刃２４１ａと横架部２３１とを覆うようにして引出されて切断刃２４１ａにより切断され、切断により残ったロール紙が切断刃２４１ａと横架部２３１とを覆う状態で保持されるので、片手で容易に横架部２３１及び横架部２４１をロール紙先端部で覆う保持状態とすることが可能となる。
【００６４】
また、第二横架材２４は、横架部２４１の両端に保持器１１に固着される支柱部２４２とにより略コ字状を有しているので、使用時においてロール紙の先端部もしくは横架部２３１と横架部２４１とを覆うロール紙の側方部から容易にロール紙を摘むことが可能となる。
【００６５】
なお、本実施の形態２では、第二横架材の横架部２４１の前面にのみ切断刃２４１ａを取付けたが、横架部２４１の前面及び背面に、もしくは背面にのみ切断刃を配設、または、切断刃２４１ａを横架材２４１の上面に載設することもでき、本実施の形態２に限られるものではない。
【産業上の利用可能性】
【００６６】
以上のように、本発明に係る切断装置付ペーパーホルダーは、トイレットペーパーの紙巻器として、また、ロール状ペーパーの紙巻器として、さらに、ロール紙保持部無しロール状ペーパーの紙巻器として有用であり、特に高齢者が使用するトイレットペーパー紙巻器に用いるのに適している。
【図面の簡単な説明】
【００６７】
【図１】実施の形態１における切断装置付ペーパーホルダー１０の概要を示す斜視図である。
【図２】実施の形態２における切断装置付ペーパーホルダー２０の概要を示す斜視図である。
【図３】従来の切断装置付ペーパーホルダー３０の概要を示す斜視図である。
【符号の説明】
【００６８】
１０  実施の形態１における切断装置付ペーパーホルダー
２０  実施の形態２における切断装置付ペーパーホルダー
１１  保持器
１１１，３１２  背面板
１１１ａ  ローレット加工
１１２  前面板
１１３  第一繋材
１１４  第二繋材
１２  保持板
１３，２３  第二横架材
１３１  跳出し部
１３１ａ，２３１ａ  誘導器
１３２，２３２  支柱部
１４，２４  第一横架材
１４１  切断器
２３１，２４１  横架部
１４１ａ，２４１ａ  切断刃
１４２，２４２  支柱部
３０  従来の切断装置付ペーパーホルダー
３１  ホルダー
３１１  側面板
３１１ａ  保持部
３２  上蓋
３３  切断器
３３ａ  固定台
３３ｂ  切断刃
３４  ガイドローラー
３５  切り欠部
【図１】
2005087411.tif 000003
【図２】
2005087411.tif 000004
【図３】
2005087411.tif 000005